(57)【要約】【課題】容易に調整できると共に、部品点数や加工工数が少なく構造的にも簡単にできる３方向調整ヒンジを提供する。【解決手段】門柱１に扉体３を開閉自在に枢着するための３方向調整ヒンジであって、左右方向の第１ボルト挿通部６に挿通された第１ボルト７により門柱１に左右方向に調整自在に固定された取り付け板８と、この取り付け板８から前方に突出する突出部９とを備え、突出部９とヒンジ具４との一方に上下方向の第２ボルト挿通部１０を、他方に前後方向の第３ボルト挿通部１１を夫々設け、第２ボルト挿通部１０及び第３ボルト挿通部１１に左右方向に挿通された第２ボルト１２によりヒンジ具４を突出部９に上下方向及び前後方向に調整自在に固定する。【選択図】　　図４
2004137844.tif 000002
【特許請求の範囲】
【請求項１】
ヒンジ軸（２８）により枢結された一対のヒンジ具（４）（５）を有するヒンジ（２）を介して前記門柱（１）に前記扉体（３）を開閉自在に枢着した門扉において、左右方向の第１ボルト挿通部（６）を有し且つ該第１ボルト挿通部（６）に挿通された第１ボルト（７）により前記門柱（１）と前記扉体（３）との一方に左右方向に調整自在に固定された取り付け板（８）と、該取り付け板（８）に設けられ且つ該取り付け板（８）から前方に突出する突出部（９）とを備え、前記突出部（９）と該突出部（９）に固定される前記ヒンジ具（４）（５）との一方に上下方向の第２ボルト挿通部（１０）を、他方に前後方向の第３ボルト挿通部（１１）を夫々設け、前記第２ボルト挿通部（１０）及び前記第３ボルト挿通部（１１）に左右方向に挿通された第２ボルト（１２）により前記ヒンジ具（４）（５）を前記突出部（９）に上下方向及び前後方向に調整自在に固定したことを特徴とする門扉用の３方向調整ヒンジ。
【発明の詳細な説明】
【０００１】
【発明の属する技術分野】
本発明は、観音開き式の門扉等に使用される門扉用の３方向調整ヒンジに関するものである。
【０００２】
【従来の技術】
観音開き式の門扉は、左右の各門柱に左右の各扉体を上下一対のヒンジにより開閉自在に枢着すると共に、そのヒンジ部分で門柱に対して扉体を左右方向、前後方向及び上下方向の３方向に調整可能にしている。
【０００３】
従来、この種の門扉には、ヒンジを構成する一対の固定ヒンジ具と可動ヒンジ具との内、その門柱側の固定ヒンジ具を門柱に対して左右方向、前後方向に調整自在に固定し、扉体側の可動ヒンジ具をその縦框に対して上下方向に調整自在に固定したものがある（特許文献１参照）。
【０００４】
【特許文献１】
実公昭５８−１５５７２号公報
【０００５】
【発明が解決しようとする課題】
しかしながら、従来の門扉は固定ヒンジ具を門柱に対して調整し、可動ヒンジ具を扉体の縦框に対して調整するため、両方のヒンジ具を別々に調整する必要がある上に、調整部分の部品点数や門柱の孔加工等の加工工数が多く、構造的にも非常に複雑であるという欠点がある。
【０００６】
また扉体の縦框の側壁部に形成された上下方向の縦溝内に裏板を入れ、可動ヒンジ具と縦溝内の裏板とをボルトで締結することにより、可動ヒンジの上下位置を調整して固定するため、扉体の縦框側に縦溝を形成しておく必要があり、縦框の形状に制約されるという欠点がある。
【０００７】
本発明は、このような従来の問題点に鑑み、門柱又は扉体の何れか一方のみで容易に調整できると共に、部品点数や加工工数が少なく構造的にも簡単にでき、しかも門柱等の形状に制約を受けることなく安価に製作できる門扉用の３方向調整ヒンジを提供することを目的とする。
【０００８】
【課題を解決するための手段】
本発明は、ヒンジ軸２８により枢結された一対のヒンジ具４，５を有するヒンジ２を介して前記門柱１に前記扉体３を開閉自在に枢着した門扉において、左右方向の第１ボルト挿通部６を有し且つ該第１ボルト挿通部６に挿通された第１ボルト７により前記門柱１と前記扉体３との一方に左右方向に調整自在に固定された取り付け板８と、該取り付け板８に設けられ且つ該取り付け板８から前方に突出する突出部９とを備え、前記突出部９と該突出部９に固定される前記ヒンジ具４，５との一方に上下方向の第２ボルト挿通部１０を、他方に前後方向の第３ボルト挿通部１１を夫々設け、前記第２ボルト挿通部１０及び前記第３ボルト挿通部１１に左右方向に挿通された第２ボルト１２により前記ヒンジ具４，５を前記突出部９に上下方向及び前後方向に調整自在に固定したものである。
【０００９】
【発明の実施の形態】
以下に、本発明の実施形態を図面に基づいて詳述する。図１〜図７は本発明を観音開き式門扉に採用した第１の実施形態を例示する。この観音開き式門扉は、図１（Ａ）（Ｂ）に示すように出入口等の左右両側で地面上に立設された左右一対の門柱１と、各門柱１間に配置され且つ上下一対の３方向調整ヒンジ２を介して各門柱１に開閉自在に枢支された左右一対の扉体３とを備えている。
【００１０】
各３方向調整ヒンジ２は扉体３を門柱１に対して左右方向、前後方向及び上下方向の３方向に調整可能であって、図２〜図４に示すように門柱１側の固定ヒンジ具４と、扉体３側の可動ヒンジ具５との一対のヒンジ具４，５の他に、左右方向の第１ボルト挿通部６を有し且つ第１ボルト挿通部６に挿通された第１ボルト７により門柱１に左右方向に調整自在に固定された取り付け板８と、この取り付け板８に設けられ且つ取り付け板８から前方に突出する突出部９とを備えている。
【００１１】
そして、突出部９とこの突出部９に固定される固定ヒンジ具４との一方に上下方向の第２ボルト挿通部１０が、他方に前後方向の第３ボルト挿通部１１が夫々設けられ、第２ボルト挿通部１０及び第３ボルト挿通部１１の両者に左右方向に挿通された第２ボルト１２により固定ヒンジ具４が突出部９に対して上下方向及び前後方向に調整自在に固定されている。
【００１２】
門柱１は角筒状等の筒状であり、その前壁部１３には、上下一対の各ヒンジ２の取り付け板８に対応する部分の上下、左右に通孔１４が形成されている。取り付け板８は矩形状であり、この取り付け板８には左右方向に長い長孔により構成された第１ボルト挿通部６が門柱１の各通孔１４に対応して上下、左右に形成されている。第１ボルト７は取り付け板８の各第１ボルト挿通部６に前側から挿通され、前壁部１３の各通孔１４を経て門柱１内の裏板１５のネジ孔１６に螺合し締結されている。
【００１３】
取り付け板８は、その位置を左右方向に調整したときにも、両端が門柱１の前壁部１３の左右両端から突出しない程度の左右幅であって、門柱１の前壁部１３の前面に当接されている。裏板１５は門柱１内に挿入され、門柱１の前壁部１３に裏側から当接されている。なお、左右の第１ボルト挿通部６は、取り付け板８の左右両端から中央側へと凹入状に形成しても良い。また第１ボルト挿通部６は突出部９の上下、又は左右に夫々１個設けても良い。
【００１４】
突出部９は左右幅が厚い厚板により立方体状又は直方体状に構成され、取り付け板８の前面の中央部分に固定されている。そして、突出部９の左右両側には、溝状に形成された第２ボルト挿通部１０と、この第２ボルト挿通部１０よりも左右方向の内側に形成された裏板挿入溝１７とが上下方向の全長に設けられている。第２ボルト挿通部１０と裏板挿入溝１７は平面視凸字状に連通して形成され、突出部９の前後方向の中央より若干前側に偏位して配置されている。各裏板挿入溝１７には、第２ボルト１２用のネジ孔１８を有する裏板１９が挿入されている。
【００１５】
なお、取り付け板８と突出部９は互いに固定状態にあれば、両者を一体に構成しても良いし、ネジ、溶接等で固定しても良い。第２ボルト１２は１本でも良いし、上下に２本設けても良い。裏板挿入溝１７は、第２ボルト１２の先端が嵌合する逃げ溝２０を有する。
【００１６】
可動ヒンジ具５はその取り付け部２１が上下２本のボルト２２により、扉体３の縦框２３の門柱１側の端面に着脱自在に固定され、その遊端側に軸保持部２４が設けられている。固定ヒンジ具４は、基部側の取り付け部を構成する囲い部２５と、遊端側の軸保持部２６と、これらの囲い部２５及び軸保持部２６を一体に連結する腕部２７とを備えている。両ヒンジ具４，５は固定ヒンジ具４の軸保持部２６を下側にして配置され、その両軸保持部２４，２６に、両ヒンジ具４，５を枢結するヒンジ軸２８が挿通されている。なお、腕部２７は囲い部２５の前端側に設けられている。
【００１７】
囲い部２５は裏側に開口する開口部２９が内部に形成され、開口部２９に嵌合する突出部９の略全体を外側から覆うように、突出部９に対して上下方向及び前後方向に摺動自在に前側から套嵌されている。囲い部２５は左右一対の側壁部３０と、両側壁部３０の上端及び下端を左右に連結する上壁部３１及び下壁部３２と、各壁部３０〜３２の前端を連結する前壁部３３とを一体に備えた縦長箱状であって、その左右両側の側壁部３０が突出部９の両側面に対して上下方向及び前後方向に摺動自在である。
【００１８】
なお、突出部９と前壁部３３との間には固定ヒンジ具４の前後方向の調整代に見合う隙間があり、突出部９と上壁部３１及び下壁部３２との間には固定ヒンジ具４の上下方向の調整代に見合う隙間がある。
【００１９】
囲い部２５の各側壁部３０には第３ボルト挿通部１１が裏板１９のネジ孔１８に対応して前後方向に設けられている。第３ボルト挿通部１１は、第２ボルト挿通部１０に対して側面視略直交状に配置された前後方向の長孔により構成されている。なお、第３ボルト挿通部１１は側壁部３０の後端側から前側へと凹入状に形成しても良い。第２ボルト１２は囲い部２５の左右両側から側壁部３０の第３ボルト挿通部１１、突出部９の第２ボルト挿通部１０を経て、裏板挿入溝１７内の裏板１９のネジ孔１８に螺合し締結されている。
【００２０】
上記構成の門扉において、扉体３の位置を左右方向、上下方向及び前後方向に調整する場合には次のように行う。取り付け板８の第１ボルト挿通部６に挿通された第１ボルト７を緩めると、門柱１に対する取り付け板８の固定を解除でき、取り付け板８が左右方向に移動可能になる。そして、扉体３の左右位置を調整する場合には、その状態で取り付け板８を門柱１の前壁部１３及び第１ボルト挿通部６に沿って左右方向へと適当位置まで摺動させた後、その位置で第１ボルト７を裏板１５に締結して取り付け板８を門柱１に固定する。これによって第１ボルト挿通部６の範囲内で門柱１に対して扉体３の左右方向の位置を任意に調整できる。
【００２１】
例えば、図２に示すように門柱１の前壁部１３の左右方向の中央に取り付け板８を固定した状態から、扉体３の位置を左側に調整する場合には、図５に示すように取り付け板８を左側へと移動させて固定する。なお、取り付け板８を左右方向に移動させた場合にも、例えば図５に示すようにその端縁を門柱１の側面と略面一状にする等、端縁が門柱１の側面から突出しないようにすることが望ましい。
【００２２】
固定ヒンジ具４の囲い部２５の第３ボルト挿通部１１及び突出部９の第２ボルト挿通部１０に挿通された第２ボルト１２を緩めると、突出部９に対する囲い部２５の固定を解除でき、囲い部２５が突出部９に沿って上下方向及び前後方向に移動可能になる。そして、扉体３の上下位置を調整する場合には、囲い部２５を突出部９及び第２ボルト挿通部１０に沿って上下方向へと適当位置まで摺動させた後、その位置で第２ボルト１２を裏板１９に締結して囲い部２５を突出部９に固定する。これによって突出部９と囲い部２５との上下方向の隙間の範囲内で門柱１に対して扉体３の上下方向の位置を任意に調整できる。
【００２３】
例えば、図３に示すように突出部９の上下方向の中央に固定ヒンジ具４を固定した状態から、扉体３の位置を上側に調整する場合には、図７に示すように囲い部２５を上側へと移動させて固定する。なお、固定ヒンジ具４を上下方向に移動させた場合にも、例えば図７に示すようにその下壁部３２が突出部９の下面に当接する等、上壁部３１又は下壁部３２が突出部９に当接するため、第２ボルト１２が第２ボルト挿通部１０から外れることはない。
【００２４】
扉体３の前後位置を調整する場合には、第２ボルト１２を緩めた状態で囲い部２５を突出部９及び第３ボルト挿通部１１に沿って前後方向へと適当位置まで摺動させた後、その位置で第２ボルト１２を裏板１９に締結して囲い部２５を突出部９に固定する。これによって第３ボルト挿通部１１の範囲内で門柱１に対して扉体３の前後方向の位置を任意に調整できる。
【００２５】
例えば、図２に示すように固定ヒンジ具４を突出部９の前後方向の中央に取り付け板８を固定した状態から、扉体３の位置を後側に調整する場合には、図６に示すように囲い部２５を後側へと移動させて固定する。なお、囲い部２５を後側へと最大量移動させた場合には、例えば図６に示すようにその側壁部３０の後端が取り付け板８に当接し、又は囲い部２５の前壁部３３が突出部９に当接するようにすることが望ましい。
【００２６】
この実施形態によれば、門柱１に対して第１ボルト挿通部６とこれに挿通された第１ボルト７とで取り付け板８を左右方向に調整自在に固定し、突出部９に対して上下方向の第２ボルト挿通部１０と、前後方向の第３ボルト挿通部１１と、これらに挿通された左右方向の第２ボルト１２とで固定ヒンジ具４を上下方向、前後方向に調整自在に固定しているので、門柱１と固定ヒンジ具４との間で扉体３の位置を左右方向、上下方向及び前後方向に容易に調整できると共に、部品点数や加工工数が少なく構造的にも簡単にできる。
【００２７】
しかも取り付け板８に第１ボルト挿通部６を、突出部９に第２ボルト挿通部１０を、固定ヒンジ具４の取り付け部である囲い部２５に第３ボルト挿通部１１を夫々設けて、これらと第１ボルト７、第２ボルト１２との組み合わせによって調整自在に構成しているので、門柱１の形状等に制約を受けることなく安価に製作できる。また固定ヒンジ具４の取り付け部側に囲い部２５を設け、この囲い部２５を突出部９に前側から套嵌しているため、囲い部２５によって突出部９を外側から覆うことができ、上下方向、前後方向に調整しても、突出部９が外部から見えないので、意匠性も向上する。
【００２８】
図８及び図９は本発明の第２の実施形態を例示する。この実施形態では、突出部９は取り付け板８から前側に突出する左右一対の側壁部３５と、この各側壁部３５の前端側を左右に連結する連結部３６とにより中空状に構成され、その各側壁部３５の一部を屈曲状に形成して上下方向の第２ボルト挿通部１０、裏板挿入溝１７が設けられている。このように突出部９は中空状に構成しても良い。なお、他の構成は第１の実施形態と同じである。
【００２９】
図１０及び図１１は本発明の第３の実施形態を例示する。この実施形態では、突出部９は取り付け板８から前側に突出する左右一対の側壁部３５と、この両側壁部３５の前端側を左右に連結する連結部３６とにより中空状に構成され、その各側壁部３５に上下方向に長い長孔状に第２ボルト挿通部１０が設けられている。そして、第２ボルト１２は、囲い部２５の各側壁部３５の第３ボルト挿通部１１から突出部９の各側壁部３５の第２ボルト挿通部１０に挿通され、突出部９の各側壁部３５の内側の裏板１９に螺合されている。従って、固定ヒンジ具４は、囲い部２５の各側壁部３５と各裏板１９との間で突出部９の各側壁部３５を挟持することにより固定されている。他の構成は、第１の実施形態と同様である。
【００３０】
このように突出部９の第２ボルト挿通部１０を長孔で構成しても良い。なお、突出部９の左右の側壁部３５に対して囲い部２５の各側壁部３５を左右別々の第２ボルト１２で締結して固定する場合には、連結部３６は省略しても良い。
【００３１】
図１２は本発明の第４の実施形態を例示する。突出部９の第２ボルト挿通部１０が長孔状の場合には、囲い部２５及び突出部９を左右方向に貫通する第２ボルト１２と、その先端側に螺合するナット３７とにより、突出部９に対して囲い部２５を上下方向及び前後方向に調整自在に固定しても良い。突出部９は第３の実施形態と同様に中空状に形成され、その左右の側壁部３５間にスペーサ３８が介在されている。そして、第２ボルト１２は突出部９及び囲い部２５の左右の各側壁部３０，３５、スペーサ３８に貫通状に挿通され、ナット３７が螺合されている。
【００３２】
図１３は本発明の第５の実施形態を例示する。この実施形態では、門柱１に固定ヒンジ具４の取り付け部４０がボルト４１ａにより固定され、扉体３と可動ヒンジ具５との間に取り付け板８、突出部９等が設けられている。取り付け板８は各実施形態と同様の手段により扉体３の縦框２３の前面に左右方向に調整自在に固定されている。可動ヒンジ具５は取り付け部側である囲い部４１と、囲い部４１及び軸保持部２４を連結する腕部４２とを有し、囲い部４１は各実施形態と同様の構造であって、各実施形態と同様の手段により突出部９に対して上下方向、前後方向に調整自在に固定されている。
【００３３】
このように扉体３側の縦框２３の前面に取り付け板８を設け、この取り付け板８側の突出部９に対して可動ヒンジ具５を取り付ける場合にも同様に実施可能である。また門柱１と固定ヒンジ具４間、及び扉体３の縦框２３と可動ヒンジ具５間の両方に取り付け板８、突出部９等を設けて、各ヒンジ具４，５を共に調整自在に取り付けても良い。
【００３４】
以上、本発明の各実施形態について詳述したが、本発明は各実施形態に限定されるものではなく、その他種々の態様で実施することができる。例えば、突出部９に前後方向の第３ボルト挿通部１１を、ヒンジ具４，５の取り付け部である囲い部２５，４１に上下方向の第２ボルト挿通部１０を夫々設けても良い。この場合、突出部９側の第３ボルト挿通部１１は、第１の実施形態のように溝状に構成することも可能であるし、長孔状に構成することも可能である。
【００３５】
ヒンジ具４，５の取り付け部は、突出部９を外側から覆う囲い部２５，４１により構成することが望ましいが、突出部９の左右方向の一側面に沿う板状に構成しても良いし、突出部９を左右両側から挟むＵ字状又はコ字状に構成しても良い。また突出部９を二又状に構成し、その中にヒンジ具４，５の取り付け部を調整可能に挿入しても良い。更に本発明の３方向調整ヒンジ２は門扉用であれば良く、その門扉は観音開き式に限定されるものではない。
【００３６】
【発明の効果】
本発明では、ヒンジ軸２８により枢結された一対のヒンジ具４，５を有するヒンジ２を介して門柱１に扉体３を開閉自在に枢着した門扉において、左右方向の第１ボルト挿通部６を有し且つ該第１ボルト挿通部６に挿通された第１ボルト７により門柱１と扉体３との一方に左右方向に調整自在に固定された取り付け板８と、該取り付け板８に設けられ且つ該取り付け板８から前方に突出する突出部９とを備え、突出部９と該突出部９に固定されるヒンジ具４，５との一方に上下方向の第２ボルト挿通部１０を、他方に前後方向の第３ボルト挿通部１１を夫々設け、第２ボルト挿通部１０及び第３ボルト挿通部１１に左右方向に挿通された第２ボルト１２によりヒンジ具４，５を突出部９に上下方向及び前後方向に調整自在に固定しているので、門柱１又は扉体３の何れか一方のみで容易に調整できると共に、部品点数や加工工数が少なく構造的にも簡単にでき、しかも門柱１等の形状に制約を受けることなく安価に製作できる。
【図面の簡単な説明】
【図１】（Ａ）は本発明の第１の実施形態を示す観音開き式門扉の正面図、（Ｂ）はその平面図である。
【図２】本発明の第１の実施形態を示す要部の平面断面図である。
【図３】本発明の第１の実施形態を示す要部の正面断面図である。
【図４】本発明の第１の実施形態を示す要部の分解斜視図である。
【図５】本発明の第１の実施形態を示す左側に調整時の平面断面図である。
【図６】本発明の第１の実施形態を示す後側に調整時の平面断面図である。
【図７】本発明の第１の実施形態を示す上側に調整時の正面断面図である。
【図８】本発明の第２の実施形態を示す要部の斜視図である。
【図９】本発明の第２の実施形態を示す要部の平面断面図である。
【図１０】本発明の第３の実施形態を示す要部の斜視図である。
【図１１】本発明の第３の実施形態を示す要部の平面断面図である。
【図１２】本発明の第４の実施形態を示す要部の平面断面図である。
【図１３】本発明の第５の実施形態を示す要部の平面断面図である。
【符号の説明】
１　門柱
２　ヒンジ
３　扉体
４　固定ヒンジ具
５　可動ヒンジ具
６　第１ボルト挿通部
７　第１ボルト
８　取り付け板
９　突出部
１０　第２ボルト挿通部
１１　第３ボルト挿通部
１２　第２ボルト
２８　ヒンジ軸
【図１】
2004137844.tif 000003
【図２】
2004137844.tif 000004
【図３】
2004137844.tif 000005
【図４】
2004137844.tif 000006
【図５】
2004137844.tif 000007
【図６】
2004137844.tif 000008
【図７】
2004137844.tif 000009
【図８】
2004137844.tif 000010
【図９】
2004137844.tif 000011
【図１０】
2004137844.tif 000012
【図１１】
2004137844.tif 000013
【図１２】
2004137844.tif 000014
【図１３】
2004137844.tif 000015